(57)【特許請求の範囲】
【請求項１】
シャツ本体（１）と、シャツ本体と分離して形成した襟部（２）とを備え、襟部（２）は、首回りを囲む帯状の襟台（３）と、襟台の上縁に縫い付けた襟羽(４ａ，４ｂ)と、襟台の下縁に縫い付けて襟台の外周側に広がるように設けた重ね代片（５）とを有し、重ね代片（５）の長手方向の両端部近傍位置と中央位置、及び肩の真上付近の位置の生地表側にボタン（６ａ，６ｂ，６ｃ，６ｄ，６ｅ）が縫い付けてあり、襟羽は、略三角形状の右襟羽（４ａ）と左襟羽（４ｂ）とで構成してあり、左右の襟羽が首回りサイズの１／６〜４／６の間隔（Ａ）を開けて襟台（３）に取付けてあり、シャツ本体（１）は、前開き部（７）を有すると共に襟ぐり部（８）が丸首状に形成してあり、襟ぐり部には重ね代片に縫い付けた各ボタンを止めるボタンホール（９ａ，９ｂ，９ｃ，９ｄ，９ｅ）が設けてあり、ボタンホールは、重ね代片の長手方向両端部近傍位置のボタン（６ａ，６ｅ）用のものが横向きに形成され、他のボタン（６ｂ，６ｃ，６ｄ）用のものは縦向きに形成してあり、襟部の重ね代片（５）をシャツ本体の襟ぐり部（８）の内側に重ね、ボタン（６ａ，６ｂ，６ｃ，６ｄ，６ｅ）をボタンホール（９ａ，９ｂ，９ｃ，９ｄ，９ｅ）に止めて襟部（２）をシャツ本体（１）に着脱自在に取付けてあり、襟部（２）を襟台の長さ（Ｌ）の違うものに付け替えることで首回りサイズを調節可能としたことを特徴とするシャツ。
【請求項２】
襟部（２）の襟台（３）の左右何れか一方の端部に、シャツ本体の前開き部（７）より側方に突出する突出部（１０）を設けてあり、襟台の他方の端部表面に当該突出部を止める止め部（１１ａ，１２ａ）が設けてあることを特徴とする請求項１記載のシャツ。
【請求項３】
シャツ本体と分離して形成した袖口部（１３）を備え、袖口部（１３）は帯状に形成され、上縁部の生地表側に３〜４個のボタン（１４ａ，１４ｂ，１４ｃ，１４ｄ）が間隔をあけて縫い付けてあり、ボタンは袖口部の長手方向の両端部近傍位置とその中間位置とに位置しており、シャツ本体（１）は、袖（１５）の先端部に袖口部の各ボタンを止めるボタンホール（１６ａ，１６ｂ，１６ｃ，１６ｄ）が設けてあり、ボタンホールは、袖口部の長手方向両端部近傍位置のボタン（１４ａ，１４ｄ）用のものが横向きに形成され、他のボタン（１４ｂ，１４ｃ）用のものは縦向きに形成してあり、袖口部の上縁部をシャツ本体の袖（１５）の先端部内側に重ね、ボタン（１４ａ，１４ｂ，１４ｃ，１４ｄ）をボタンホール（１６ａ，１６ｂ，１６ｃ，１６ｄ）に止めて袖口部（１３）をシャツ本体（１）に着脱自在に取付けていることを特徴とする請求項１又は２記載のシャツ。
【請求項４】
袖口部（１３）を幅の違うものに付け替えるか、袖口部のボタン（１４ａ，１４ｂ，１４ｃ，１４ｄ）の位置を袖口部の幅方向にずらすことにより裄サイズを調節可能としたことを特徴とする請求項３記載のシャツ。
【発明の詳細な説明】
【技術分野】
【０００１】
本発明は、襟部や袖口部を着脱できるようにしたシャツに関する。
【背景技術】
【０００２】
ワイシャツ等のシャツは、襟部と袖口部（カフスともいう）が特に汚れやすく、頻繁に洗濯しなければならない。また、襟部と袖口部の縁が非常に傷みやすく、そこに傷みが生ずると、もうそのシャツを着れなくなってしまう。また、太って首回りが窮屈になり、少し前まで着れたシャツが着れなくなることもある。ワイシャツは、首回りサイズと裄サイズが様々な組み合わせで用意されており、店でワイシャツを選ぶ際、生地の色やデザインが気に入ったのに、自分の体型にぴったり合う首回り・裄サイズのものが無いことがしばしばある。首回り・裄サイズが体型に合っていないと、着心地が良くないばかりか、格好悪く見えてしまう。
【０００３】
シャツの襟部と袖口部を着脱自在にすることは、従来から考えられていた（例えば、特許文献１、特許文献２参照。）。しかし、従来の着脱自在にした襟部は、特許文献１の図１，２に記載されているように、襟部とシャツ本体とに帯状の襟台がそれぞれ設けられ、両者の襟台を重ねてボタンとボタンホールで止めるようにしており、襟台の部分が２重になるため、首の周りがゴワゴワし、且つ暑苦しく感ずるものとなっていた。また、シャツ本体に襟台が形成されているため、首回りサイズを変更することはできない。
【０００４】
特許文献１に開示されている着脱自在な袖口部は、スナップボタンにより着脱自在にしているので、袖口部を少し引っ張っただけで袖口部がシャツ本体の袖から分離する。特許文献２に開示されている着脱自在な袖口部は、ボタンとボタンホールにより着脱自在にしているが、ボタンの数があまりにも多いために、袖口部の着脱が面倒である。また何れの袖口部も、シャツ本体の袖の先端部外周に巻き付けてボタンで止めるようにしており、シャツ本体の袖よりも袖口部の周囲が一回り太くなるので、袖口部がいかにも取って付けたような感じで見た目が悪いものであった。
【特許文献１】特開２００１−２１４３０１号公報
【特許文献２】実開昭４９−１３９０１３号公報
【発明の開示】
【発明が解決しようとする課題】
【０００５】
本発明は以上に述べた実情に鑑み、襟部や袖口部が簡単に着脱でき、着心地が良好で、尚且つ見た目も良好なシャツの提供を目的とする。
【課題を解決するための手段】
【０００６】
上記の課題を達成するために、請求項１記載の発明によるシャツは、シャツ本体と、シャツ本体と分離して形成した襟部とを備え、襟部は、首回りを囲む帯状の襟台と、襟台の上縁に縫い付けた襟羽と、襟台の下縁に縫い付けて襟台の外周側に広がるように設けた重ね代片とを有し、重ね代片の長手方向の両端部近傍位置と中央位置、及び肩の真上付近の位置の生地表側にボタンが縫い付けてあり、襟羽は、略三角形状の右襟羽と左襟羽とで構成してあり、左右の襟羽が首回りサイズの１／６〜４／６の間隔を開けて襟台に取付けてあり、シャツ本体は、前開き部を有すると共に襟ぐり部が丸首状に形成してあり、襟ぐり部には重ね代片に縫い付けた各ボタンを止めるボタンホールが設けてあり、ボタンホールは、重ね代片の長手方向両端部近傍位置のボタン用のものが横向きに形成され、他のボタン用のものは縦向きに形成してあり、襟部の重ね代片をシャツ本体の襟ぐり部の内側に重ね、ボタンをボタンホールに止めて襟部をシャツ本体に着脱自在に取付けてあり、襟部を襟台の長さの違うものに付け替えることで首回りサイズを調節可能としたことを特徴とする。
【０００８】
請求項２記載の発明によるシャツは、請求項１記載の発明の構成に加え、襟部の襟台の左右何れか一方の端部に、シャツ本体の前開き部より側方に突出する突出部を設けてあり、襟台の他方の端部表面に当該突出部を止める止め部が設けてあることを特徴とする。
【００１０】
請求項３記載の発明によるシャツは、請求項１又は２記載の発明の構成に加え、シャツ本体と分離して形成した袖口部を備え、袖口部は帯状に形成され、上縁部の生地表側に３〜４個のボタンが間隔をあけて縫い付けてあり、ボタンは袖口部の長手方向の両端部近傍位置とその中間位置とに位置しており、シャツ本体は、袖の先端部に袖口部の各ボタンを止めるボタンホールが設けてあり、ボタンホールは、袖口部の長手方向両端部近傍位置のボタン用のものが横向きに形成され、他のボタン用のものは縦向きに形成してあり、袖口部の上縁部をシャツ本体の袖の先端部内側に重ね、ボタンをボタンホールに止めて袖口部をシャツ本体に着脱自在に取付けていることを特徴とする。
【００１１】
請求項４記載の発明によるシャツは、請求項３記載の発明の構成に加え、袖口部を幅の違うものに付け替えるか、袖口部のボタンの位置を袖口部の幅方向にずらすことにより裄サイズを調節可能としたことを特徴とする。
【発明の効果】
【００１２】
請求項１記載の発明によるシャツは、襟部がシャツ本体と分離して形成してあり、襟部の襟台の下縁から外周側に広がるように設けた重ね代片をシャツ本体の襟ぐり部の内側に重ね、重ね代片に縫い付けたボタンを襟ぐり部のボタンホールに止めて襟部を着脱自在としたので、襟台が二重にならず、首回りがゴワゴワすることがなく、暑苦しく感じることもない。襟部のボタンは、重ね代片の長手方向の両端部近傍位置と中央位置、及び肩の真上付近の位置の計５個としてあり、襟部の着脱が容易に行えると共に襟部を安定してシャツ本体の襟ぐり部に取付けることができる。さらに、重ね代片の長手方向両端部近傍位置のボタンを止めるボタンホールが横向きに形成してあることで、当該ボタンがボタンホールの範囲で横に移動するため、首回りの圧迫感を和らげることができる。他のボタンホールは縦向きに形成してあるので、襟部が引っ張られてもボタンが外れることがなく、襟部がシャツ本体から分離しない。
さらに本発明のシャツは、襟部の襟羽を略三角形状の右襟羽と左襟羽とで構成し、左右の襟羽を首回りサイズの１／６〜４／６の間隔を開けて襟台に取付けたので、首の後側で襟台と襟羽が重ならないため、夏は非常に涼しく感じることができ、冬は首回りにマフラー等を巻くと首の後側がマフラー等で直接被われるので、暖かく感じることができる。首の後側は、涼しく感じたり、暖かく感じたりすることと強い関連性があり（マフラーを巻くと、セーターを一枚上に着たのと同じくらい体感温度が上がるといわれている）、このように首の後側で襟羽が途切れていることで、体感温度を快適に保つのに非常に効果的である。また、通常のワイシャツのようにネクタイを締めるときに襟羽をいちいち立てたり折り曲げたりする手間が要らず、ネクタイを楽に締めることができる。しかも正面から見ると、左右の襟羽が通常のワイシャツ等の襟と同じように見えるので、不自然な感じがしない。
【００１３】
さらに本発明によるシャツは、襟部を襟台の長さの違うものに付け替えることで首回りサイズを調節できるので、首回りが太くなっても同じシャツを着ることができる。
【００１４】
請求項２記載の発明によるシャツは、襟部の襟台の左右何れか一方の端部に、シャツ本体の前開き部より側方に突出するように設けた突出部を、襟台の他方の端部表面に設けた止め部に止めることで、襟元が広がるのを防止できると共に、襟元がしっかり立ち上がり、きれいな襟の形を維持することができ、ネクタイを締めない場合でもだらしない印象を与えない。
【００１６】
請求項３記載の発明によるシャツは、袖口部がシャツ本体と分離して形成してあり、袖口部の上縁部をシャツ本体の袖の先端部内側に重ね、袖口部に縫い付けたボタンを袖の先端部のボタンホールに止めて着脱自在としたので、袖口部をシャツ本体の袖の先端部にすっきりと自然に取付けることができる。袖口部のボタンは、長手方向両端部近傍位置の２個と、その中間位置に１〜２個の計３〜４個としたので、袖口部の着脱が容易に行えると共に袖口部を安定してシャツ本体の袖に取付けることができる。さらに、袖口部の長手方向両端部近傍位置のボタンを止めるボタンホールが横向きに形成してあることで、ボタンがボタンホールの範囲で横に移動し、それに伴って袖口部の周囲の長さが変化するため、袖口部が手首にフィットし且つ圧迫感を与えない。他のボタンホールは縦向きに形成してあるので、袖口部が引っ張られてもボタンが外れることがなく、袖口部が袖から分離しない。
【００１７】
さらに請求項４記載の発明によるシャツは、袖口部を幅の違うものに付け替えるか、袖口部のボタンの位置を袖口部の幅方向にずらすことにより裄サイズを調節可能としたので、シャツの袖を丁度良い長さに簡単に調整できる。
【発明を実施するための最良の形態】
【００１８】
以下、本発明の実施の形態を図面に基づいて説明する。図１は、本発明の一実施形態であるシャツの正面図であり、本シャツは襟部２と袖口部１３がシャツ本体１と分離して形成してあり、襟部２をシャツ本体１の襟ぐり部８に、袖口部１３をシャツ本体１の袖１５の先端部に、それぞれボタンで着脱自在に取付けている。
【００１９】
図２は、同シャツの襟部２周辺を拡大した正面図であり、図２は襟部２とシャツ本体１を分離した状態の斜視図、図４は襟部２とシャツ本体１を分離した状態の展開図である。
襟部２は、図３，４に示すように、首回りを囲む帯状の襟台３と、襟台３の上縁に縫い付けた襟羽４ａ，４ｂと、襟台３の下縁に縫い付けて襟台３の外周側に広がるように設けた重ね代片５とを有している。
襟羽は、略三角形状の右襟羽４ａと左襟羽４ｂとに分割して形成し、左右の襟羽４ａ，４ｂが首回りサイズの約１／３の間隔Ａを開けて襟台３に取付けてある。
襟台３は、長手方向の一方の端部に、シャツ本体１の前開き部７より側方に突出する突出部１０を設けてあり、突出部１０の先端部の表裏面に雄スナップボタン１７が縫い付けてある。襟台３の表面の左右の襟羽に隠れる位置には、突出部１０を通す通し紐１１ａ，１１ｂと雌スナップボタン１２ａ，１２ｂがそれぞれ縫い付けてある。
重ね代片５の表面には、５個のボタン６ａ，６ｂ，６ｃ，６ｄ，６ｅが間隔をおいて縫い付けてある。ボタンは、両端のボタン６ａ，６ｅが重ね代片５の長手方向の両端部近傍に位置しており、真ん中のボタン６ｃは中央に位置しており、２番目と４番目のボタン６ｂ，６ｄは肩の真上付近に位置している。
【００２０】
シャツ本体１は、図３に示すように、正面に前開き部７を有し、前開き部７をボタン１８とボタンホール１９を介して止めて着用するものとなっている。シャツ本体１の襟ぐり部８は、襟の無い丸首状に形成してあり、襟ぐり部８に襟部２の重ね代片５に縫い付けた各ボタン６ａ，６ｂ，６ｃ，６ｄ，６ｅを止めるボタンホール９ａ，９ｂ，９ｃ，９ｄ，９ｅを設けてある。５箇所のボタンホールの内、重ね代片の両端のボタン６ａ，６ｅを止めるボタンホール９ａ，９ｅは横向きに形成してあり、他のボタンホール９ｂ，９ｃ，９ｄは縦向きに形成してある。
【００２１】
襟部２は、図２に示すように、重ね代片５をシャツ本体１の襟ぐり部８の内側に重ね、ボタン６ａ，６ｂ，６ｃ，６ｄ，６ｅをボタンホール９ａ，９ｂ，９ｃ，９ｄ，９ｅに止めることで簡単に取付けられる。突出部１０は、右襟羽４ａの下の襟台３上に設けた通し紐１１ａに通して止めている。突出部１０先端の雄スナップボタン１７は、襟台３上の雌スナップボタン１２ａに止めてもよいし、止めなくてもよい。雄雌スナップボタン１７，１２ａを止めないで、突出部１０を通し紐１１ａに通しただけにしておけば、首回りサイズを適宜調節することができ、首回りの圧迫感を防止できる。また突出部１０は、折り返して左襟羽４ｂの下の襟台３上に設けた通し紐１１ｂに通し、先端の雄スナップボタン１７を雌スナップボタン１２ｂに止め、左襟羽４ｂの後に止めておくこともできる。
【００２２】
本シャツは、重ね代片の両端のボタン６ａ，６ｅを止めるボタンホール９ａ，９ｅが横向きに形成してあることで、ボタン６ａ，６ｅがボタンホール９ａ，９ｅの範囲で横に移動し、それに伴って首回りサイズが１〜２ｃｍ程度変化するので、首回りの圧迫感が和らげられる。しかも、突出部１０を右襟羽４ａの後の通し紐１１ａに通して止めておくことで、襟元が広がるのを防止できると共に、襟元がしっかり立ち上がり、きれいな襟の形を維持することができ、ネクタイを締めない場合でもだらしない印象を与えない。他のボタンホール９ｂ，９ｃ，９ｄは縦向きに形成してあるので、襟部２が引っ張られてもボタン６ｂ，６ｃ，６ｄが外れることがなく、襟部２がシャツ本体１から分離しない。
また本シャツは、従来の襟部を着脱自在にしたもののように襟台３が二重になっていないので、首回りがゴワゴワする感じがなく、暑苦しく感じることもない。さらに、襟羽が右襟羽４ａと左襟羽４ｂとに分割してあり、首の後側で襟台３と襟羽４ａ，４ｂが重なっていないため、夏はより一層涼しく感じることができるし、冬は、図１１に示すように、襟羽４ａ，４ｂの後に通すようにして首回りにマフラー等２５を巻くと、首の後側がマフラー等２５で直接被われるので、とても暖かく感じることができる。また、ネクタイを締めるときには、左右の襟羽４ａ，４ｂの後ろにネクタイをそのまま通せばよく、襟羽４ａ，４ｂをいちいち立てたり折り曲げたりする手間が要らないので、ネクタイを楽に締めることができる。しかも正面から見ると、左右の襟羽４ａ，４ｂが通常のワイシャツ等の襟と同じように見えるので、不自然な感じがしない。
【００２３】
図５（ａ）は、襟部２の他の実施形態を示しており、図６（ａ）は、この襟部２をシャツ本体１の襟ぐり部８に取付けた状態を示している。この襟部２は、襟台３の端部に突出部１０を設けておらず、襟台３の右側端部に第１ボタン２３を取り付け、襟台３の左側端部にボタンホール２４が横向きに設けてある。襟台３の長さＬは、重ね代片５の長さと同じになっており、また重ね代片５の長さはシャツ本体の襟ぐり部８の周長と略一致している。この襟部２は、先の実施形態のものと同様にシャツ本体の襟ぐり部８内側に取付け、図６（ａ）に示すように、襟台３の左右端部を第１ボタン２４とボタンホール２４を介して止められるようになっている。
図５（ｂ）は、図５（ａ）のものと同じ形態の襟部２であるが、襟台３の長さＬが図５（ａ）のものより長くなっており、具体的には第１ボタン２３が取付けてある右側の端部をのばして襟台３の長さＬを長くしている。このように襟台３の長さＬを長くすることで、図６（ｂ）に示すように、首回りサイズを大きくすることができる。
【００２４】
図７は、襟部２の襟羽の他の実施形態を示している。図７（ａ）は、左右の襟羽４ａ，４ｂの間の間隔Ａを首回りサイズの１／６とした場合を示しており（図中に、襟ぐりの内周側に記した細い実線は、首回りサイズを６等分する位置を示している。）、図７（ｂ）は、同間隔Ａを首回りサイズの４／６とした場合を示している。同間隔Ａを首回りサイズの１／６よりも小さくした場合には、襟羽４ａ，４ｂが首の後ろ側に回りこむ長さが長くなりすぎて、ネクタイを締めるのが容易である、夏涼しいといった効果が発揮されなくなる可能性があり、また同間隔Ａを首回りサイズの４／６よりも大きくした場合には、襟羽４ａ，４ｂの幅が細くなりすぎ、通常のワイシャツの襟とは見た目が大きく異なってくるし、上着を着た場合でも上着の襟とシャツの襟羽の間に隙間ができ、その隙間からネクタイの紐の部分が覗いて好ましくないからである。左右の襟羽４ａ，４ｂの間の間隔Ａを首回りサイズの１／３程度（好ましくは１／３±４ｃｍ）とした場合には、正面から見た場合に襟の形が通常のワイシャツとほとんど変わらなくなり、しかもネクタイを締めるのが容易である、夏涼しいといった効果が十分に発揮され、最も効果的である。
なお、図７（ｃ）に示すように、左右に分割しない通常のワイシャツ等と同様の一体的な襟羽４とすることもできる。
【００２５】
図８は、本シャツの袖口部１３周辺を拡大して示す斜視図であり、図９は、袖口部１３をシャツ本体１の袖１５から分離した状態を示す斜視図である。
袖口部１３は、一定の幅の帯状に形成してあり、通常のワイシャツの袖口部と同様に、ボタン２０をボタンホール２１に止めて筒状になるようにしている。袖口部１３の上縁部の生地表側には、４個のボタン１４ａ，１４ｂ，１４ｃ，１４ｄが間隔をあけて縫い付けてあり、ボタン１４ａ，１４ｄは袖口部の長手方向の両端部近傍に位置し、１４ｂ，１４ｃはその中間に位置している。
シャツ本体１の袖１５の先端部には、剣ボロ２２が設けてあると共に、袖口部１３の各ボタン１４ａ，１４ｂ，１４ｃ，１４ｄを止めるボタンホール１６ａ，１６ｂ，１６ｃ，１６ｄが設けてある。袖口部の両端のボタン１４ａ，１４ｄを止めるボタンホール１６ａ，１６ｄは、横向きに形成してあり、他のボタンホール１６ｂ，１６ｃは縦向きに形成してある。
【００２６】
袖口部１３は、図８に示すように、上縁部をシャツ本体の袖１５の先端部内側に重ね、ボタン１４ａ，１４ｂ，１４ｃ，１４ｄをボタンホール１６ａ，１６ｂ，１６ｃ，１６ｄに止めることで簡単に取付けることができ、尚且つ袖口部１３をシャツ本体の袖１５の先端部にすっきりと自然に取付けることができる。袖口部の両端のボタン１４ａ，１４ｄを止めるボタンホール１６ａ，１６ｄが横向きに形成してあることで、ボタン１４ａ，１４ｄがボタンホール１６ａ，１６ｄの範囲で横に移動でき、それに伴って袖口部１３の周囲の長さが変化するため、袖口部１３が手首にフィットし且つ圧迫感を防止できる。他のボタンホール１６ｂ，１６ｃは縦向きに形成してあるので、袖口部１３が引っ張られてもボタン１４ｂ，１４ｃが外れることがなく、袖口部１３が袖１５から分離しない。図１０に示すように、袖口部の各ボタン１４ａ，１４ｂ，１４ｃ，１４ｄの位置を袖口部１３の幅方向にずらすことにより、裄サイズを調節することができる。袖口部１３を幅の違うものに交換することによって裄サイズを調節することもできる。
【００２７】
以上に述べたように、本シャツは襟部２と袖口部１３を簡単に着脱できるようにしたので、襟部２と袖口部１３だけを取外して洗濯することができ、また襟部２と袖口部１３に傷みが生じたときには、襟部２と袖口部１３を新しいものに交換し、シャツを長く着ることができる。また、襟部２を襟台３の長さの異なるものに付け替えることで、首回りサイズを調節することができ、袖口部１３を幅の違うものに付け替えるか、袖口部のボタン１４ａ，１４ｂ，１４ｃ，１４ｄの位置を袖口部１３の幅方向にずらすことにより、裄サイズを調節することもできる。さらに、襟部２や袖口部１３を、色や模様、形の異なるものに交換することで、おしゃれを楽しむことができる。夏の暑い時期などは、襟部２、あるいは袖口部１３をシャツ本体に取付けない状態で着用することもでき、襟部２や袖口部１３が無いことで首や手首からの放熱が促進されるから、清涼感溢れる着心地になり、また襟部２や袖口部１３を取外しても見た目が良好で、何ら不自然な感じがしない。
【００２８】
本発明は以上に述べた実施形態に限定されない。本発明は、襟と袖口の付いたシャツ全般に適用することができ、男性用のワイシャツやドレスシャツ以外にも、女性用のカッターシャツやブラウス等にも適用できる。
【図面の簡単な説明】
【００２９】
【図１】本発明のシャツの一実施形態を示す正面図である。
【図２】同シャツの襟部周辺を拡大して示す正面図である。
【図３】襟部とシャツ本体を分離した状態の斜視図である。
【図４】襟部とシャツ本体を分離した状態の展開図である。
【図５】襟部の他の実施形態を示す展開図である。
【図６】（ａ）は、図５（ａ）の襟部をシャツ本体に取付けた状態を示す正面図であり、（ｂ）は、図５（ｂ）の襟部を同じシャツ本体に取付けた状態を示す正面図である。
【図７】襟羽の他の実施形態を示す正面図である。
【図８】シャツの袖口部周辺を拡大して示す斜視図である。
【図９】袖口部をシャツ本体の袖から分離した状態を示す斜視図である。
【図１０】袖口部のボタンの位置をずらすことで裄サイズを変更した状態を示す斜視図である。
【図１１】首回りにマフラー等を巻いたときの状態を示す襟部周辺の正面図である。
【符号の説明】
【００３０】
１  シャツ本体
２  襟部
３  襟台
４  襟羽  
４ａ  右襟羽（襟羽）、４ｂ  左襟羽（襟羽）
５  重ね代片
６ａ，６ｂ，６ｃ，６ｄ，６ｅ  ボタン
７  前開き部
８  襟ぐり部
９ａ，９ｂ，９ｃ，９ｄ，９ｅ  ボタンホール
１０  突出部
１１ａ，１１ｂ  通し紐（止め部）
１２ａ，１２ｂ  雌スナップボタン（止め部）
１３  袖口部
１４ａ，１４ｂ，１４ｃ，１４ｄ  ボタン
１５  袖
１６ａ，１６ｂ，１６ｃ，１６ｄ  ボタンホール
Ａ  左右の襟羽の間の間隔
Ｌ  襟台の長さ
【図１】
0005022790.tif 000002
【図２】
0005022790.tif 000003
【図３】
0005022790.tif 000004
【図４】
0005022790.tif 000005
【図５】
0005022790.tif 000006
【図６】
0005022790.tif 000007
【図７】
0005022790.tif 000008
【図８】
0005022790.tif 000009
【図９】
0005022790.tif 000010
【図１０】
0005022790.tif 000011
【図１１】
0005022790.tif 000012